(57)【特許請求の範囲】
【請求項１】
上層階の床構造の下方にて、水平にかつ互いに平行に延在する複数の野縁と、
前記複数の野縁の下面に取り付けられた天井ボードと、
前記複数の野縁の内の互いに隣接する１対の野縁間に架け渡されたばね部材と、
前記ばね部材の中間部に取り付けられた錘部材とを有し、
前記ばね部材および前記錘部材が、前記床構造の振動によって生じる前記１対の野縁および前記天井ボードの振動を制御するＴＭＤをなすように設けられていることを特徴とする建築物の天井構造。
【請求項２】
前記ばね部材は、前記１対の野縁に両持ち支持された板ばねを含むことを特徴とする請求項１に記載の建築物の天井構造。
【請求項３】
前記板ばねが、そのばね本体の両端部から下向きに垂下する１対の脚片と、前記１対の脚片の各々の上端近傍にて、対応する前記１対の野縁の上面に当接する当接面を画定する肩部とを有することを特徴とする請求項２に記載の建築物の天井構造。
【請求項４】
前記１対の脚片が、前記ばね本体および前記１対の脚片の一方または双方の弾性力により、前記１対の野縁の互いに対向する側面に弾発的に当接することを特徴とする請求項３に記載の建築物の天井構造。
【請求項５】
前記１対の脚片が、前記ばね本体の前記両端部を下向きに折り返して、さらに下向きに折り曲げて形成され、前記肩部が、前記両端部を折り返した部分により形成されていることを特徴とする請求項３または４に記載の建築物の天井構造。
【請求項６】
前記１対の脚片の下端部の各々が、対応する前記１対の野縁の下面に沿うように折り曲げられていることを特徴とする請求項３乃至５のいずれかに記載の建築物の天井構造。
【請求項７】
複数の前記ＴＭＤが、前記複数の野縁の延在方向に直交する方向に整列して、かつ前記複数の野縁によって画定される野縁間スペースの１つおきに配置されていることを特徴とする請求項１乃至６のいずれかに記載の建築物の天井構造。
【請求項８】
複数の前記ＴＭＤの各々が、近接する他のＴＭＤに対して、前記複数の野縁の延在方向に直交する方向にずれて配置されていることを特徴とする請求項１乃至７のいずれかに記載の建築物の天井構造。
【請求項９】
複数の前記ＴＭＤが、前記複数の野縁の延在方向に直交する方向に整列して、かつ前記複数の野縁によって画定される野縁間スペースに連続して配置されていることを特徴とする請求項１乃至６のいずれかに記載の建築物の天井構造。
【請求項１０】
前記ばね部材は、前記１対の野縁間に張設されたワイヤーを含むことを特徴とする請求項１に記載の建築物の天井構造。
【発明の詳細な説明】
【技術分野】
【０００１】
本発明は、建築物の床衝撃音を低減する天井構造に関する。
【背景技術】
【０００２】
集合住宅等の建築構造物における天井構造として、天井下地材に内装材である天井ボードを結合したものが用いられることがある。天井下地材は、コンクリートや鉄骨等からなる上層階の床構造に吊ボルト等によって吊り下げられた複数の野縁受けと、野縁受けに対して直交するように野縁受けの下面に結合された複数の野縁とから形成される。また、天井下地材は、互いに対向する一対の壁の上端近傍に設置された一対のランナーと、一対のランナー間に架け渡された野縁とから形成されることもある。いずれの天井下地材においても、天井ボードは、野縁の下面に固定される。
【０００３】
このような天井構造では、上層階の床が衝撃を受けると、床が振動して、その振動が天井下地材を介して下層階の天井ボードに伝わり、天井ボードの振動が空気を振動させて音として下層階に伝わる。特に、集合住宅等においては、このような床衝撃音を低減することが望まれる。床衝撃音は、スプーンなどの硬くて軽いものを床に落としたときに生じる軽量床衝撃音と、人が飛び跳ねたときなどに生じる鈍くて低い重量床衝撃音とに分類される。
【０００４】
軽量床衝撃音対策として、柔軟な素材からなる緩衝材を床等に設置することがあるが、これには、重量床衝撃音対策としての効果は期待できない。床スラブを厚くすれば、重量床衝撃音の低減が期待できるが、その荷重を支えるために柱および梁等に高い強度が要求される。そこで、ＴＭＤ（チューンドマスダンパー、Ｔｕｎｅｄ Ｍａｓｓ Ｄａｍｐｅｒ）を天井構造に設置する手段が提案されている。ＴＭＤとは、錘（Ｍａｓｓ）をダンパー（Ｄａｍｐｅｒ）およびばねを介して対象物に取り付けたものであって、錘の重量やばねのばね定数によって固有振動数が調整されており（Ｔｕｎｅｄ）、対象物の振動を錘の揺れによって吸収するものである。この固有振動数を低減したい音の周波数に合わせることによって、重量床衝撃音が低減される。
【０００５】
例えば、特許文献１では、天井ボードに接着される熱可塑性エラストマーからなるシート状の粘弾性体と、その粘弾性体上に配置された錘部材とから構成されるＴＭＤが開示されている。特許文献１のＴＭＤは、衝撃を受けた上層階の床の振動によって天井ボードが振動することを抑制し、天井ボードから下層階に放射される音を低減する。
【０００６】
また、特許文献２では、野縁に取り付けられる補強金具と、補強金具の両側面に片持ち支持状に取り付けられた合成ゴム製の弾性体と、弾性体の遊端に取り付けられた金属製の錘とによって構成されるＴＭＤが開示されている。特許文献２のＴＭＤは、衝撃を受けた上層階の床の振動によって野縁および野縁に結合した天井ボードが振動することを抑制し、天井ボードから下層階に放射される音を低減する。
【先行技術文献】
【特許文献】
【０００７】
【特許文献１】特開２００９−１７４１２０号公報
【特許文献２】特開２０１２−２４１４６４号公報
【発明の概要】
【発明が解決しようとする課題】
【０００８】
しかしながら、特許文献１に記載のＴＭＤは、天井ボードに取り付けられるため、その重さによって、天井ボードが落下するおそれがあった。また、特許文献２に記載のＴＭＤは、片持ち支持された弾性体の遊端に錘が配置されているため、大型化・重量化が困難であった。そのため、十分な効果を得るためには、多数の弾性体および錘が必要であり、施工に手間がかかった。
【０００９】
本発明は、このような背景に鑑みなされたものであり、重量床衝撃音を低減させる天井構造であって、天井ボードの落下のリスクを増大させず、さらに、効率良く施工できる天井構造を提供することを目的とする。
【課題を解決するための手段】
【００１０】
本発明のある側面は、建築物の天井構造（２，３２，４４，６２）であって、上層階の床構造（４）の下方にて、水平にかつ互いに平行に延在する複数の野縁（１２，３８）と、前記複数の野縁の下面に取り付けられた天井ボード（１４）と、前記複数の野縁の内の互いに隣接する１対の野縁間に架け渡されたばね部材（１８，４８，６８）と、前記ばね部材の中間部に取り付けられた錘部材（２０）とを有し、前記ばね部材および前記錘部材が、前記床構造の振動によって生じる前記１対の野縁および前記天井ボードの振動を制御するＴＭＤ（１６，４６，６４）をなすように設けられていることを特徴とする。ここで、錘部材とは、ばね部材と別体である場合と一体である場合とを含む。
【００１１】
この構成によれば、重量床衝撃音をＴＭＤの振動によって低減できるとともに、ＴＭＤが野縁に取り付けられているため、天井ボードの落下のリスクを増大させず、隣接する１対の野縁間にＴＭＤを架け渡す構造であるため、施工性がよい。
【００１２】
本発明の他の側面は、上記構成において、前記ばね部材（１８，４８）は、前記１対の野縁に両持ち支持された板ばねを含むことを特徴とする。
【００１３】
この構成によれば、１つのＴＭＤあたりの錘部材の重量を大きくとることができるため、ＴＭＤの設置数を減少させることができる。そのため、施工時間を短縮することができる。また、板ばねによってもたらされる天井構造の質量増加による遮音効果も期待できる。
【００１４】
本発明の他の側面は、上記構成において、前記板ばねが、そのばね本体（２２，５０）の両端部から下向きに垂下する１対の脚片（２４，５２）と、前記１対の脚片の各々の上端近傍にて、対応する前記１対の野縁の上面に当接する当接面を画定する肩部（２６，５８）とを有することを特徴とする。
【００１５】
この構成によれば、肩部が野縁の上面に載置され、脚片が横方向へのずれを抑制するため、ＴＭＤの仮設置が容易になり、施工性がよい。
【００１６】
本発明の他の側面は、上記構成において、前記１対の脚片が、前記ばね本体および前記１対の脚片の一方または双方の弾性力により、前記１対の野縁の互いに対向する側面に弾発的に当接することを特徴とする。
【００１７】
この構成によれば、脚片が野縁に弾発的に当接しているため、ＴＭＤを設置位置で安定させることができる。
【００１８】
本発明の他の側面は、上記構成において、前記１対の脚片（２４）が、前記ばね本体（２２）の前記両端部を下向きに折り返して、さらに下向きに折り曲げて形成され、前記肩部（２６）が、前記両端部を折り返した部分により形成されていることを特徴とする。
【００１９】
この構成によれば、ばね部材が、１つの部材から構成できるため、製造が容易となる。
【００２０】
本発明の他の側面は、上記構成において、前記１対の脚片（２４，５２）の下端部（２８，５６）の各々が、対応する前記１対の野縁の下面に沿うように折り曲げられていることを特徴とする。
【００２１】
この構成によれば、下端部が野縁と天井ボードとに挟持されるため、ねじ等の固定具を用いなくともＴＭＤを野縁に固定することができる。また、ねじを用いてＴＭＤを固定する場合であっても、天井ボードを野縁に固定するためのねじを利用できる。よって、施工効率がよい。
【００２２】
本発明の他の側面は、上記構成において、複数の前記ＴＭＤ（１６，４６）が、前記複数の野縁の延在方向に直交する方向に整列して、かつ前記複数の野縁によって画定される野縁間スペースの１つおきに配置されていることを特徴とする。
【００２３】
この構成によれば、複数の野縁の各々には、少なくとも１つのＴＭＤが係合しているため、天井全体の振動を抑えることができるとともに、ＴＭＤの設置数を少なくして施工の手間を減らすことができる。
【００２４】
本発明の他の側面は、上記構成において、複数の前記ＴＭＤ（１６，４６）の各々が、近接する他のＴＭＤ（１６，４６）に対して、前記複数の野縁の延在方向に直交する方向にずれて配置されていることを特徴とする。
【００２５】
この構成によれば、ＴＭＤが分散して配置されるため、野縁および天井ボードの振動を均等に抑えることができる。
【００２６】
本発明の他の側面は、上記構成において、複数の前記ＴＭＤ（１６，４６）が、前記複数の野縁の延在方向に直交する方向に整列して、かつ前記複数の野縁によって画定される野縁間スペースに連続して配置されていることを特徴とする。
【００２７】
この構成によれば、複数の野縁の各々には、少なくとも２つのＴＭＤが係合しているため、振動の抑制量を高めることができる。
【００２８】
本発明の他の側面は、上記構成において、前記ばね部材（６８）は、前記１対の野縁間に張設されたワイヤー（６６）を含むことを特徴とする。
【００２９】
この構成によれば、ＴＭＤにおいて振動を抑えるために必要な錘部材以外の部分の重量を小さくすることができ、天井下地材にかかる負荷を軽減することができる。また、１組のワイヤーをばね部材とするため、ワイヤーを複数の野縁に渡って設置すれば、複数のＴＭＤで１つのばね部材を共用でき、施工の手間を減らすことができる。
【発明の効果】
【００３０】
本発明によれば、重量床衝撃音を低減させる天井構造であって、天井ボードの落下のリスクを増大させず、効率良く施工できる天井構造を提供することができる。
【図面の簡単な説明】
【００３１】
【図１】第１実施形態に係る天井構造の平面図
【図２】図１のＩＩ−ＩＩ断面における断面図
【図３】第１実施形態に係る野縁に固定されたＴＭＤの正面図
【図４】第１実施形態の変形例に係る天井構造の平面図
【図５】第２実施形態に係るＴＭＤの正面図
【図６】第３実施形態に係る天井構造の平面図
【発明を実施するための形態】
【００３２】
以下、本発明に係る天井構造の実施形態について、図面を参照しながら詳細に説明する。
【００３３】
図１〜図３は、本発明の第１実施形態を示す。天井構造２は、集合住宅等の建築物に設けられるものであって、上層階の床スラブ４の下方に設置される。床スラブ４は鉄筋コンクリートによって形成されている。上層階の床構造は、床スラブ４に代えて、Ｈ形鋼等からなる床梁上に、デッキプレート床、現場打ちコンクリート床またはパネル床等を設置したものであってもよい。
【００３４】
天井下地材６は、床スラブ４に対して、その下方の近接した位置に配置される。天井下地材６は、下層階の互いに対向する壁８の上端近傍に固定された１対のランナー１０と、１対のランナー間に架け渡された複数の野縁１２とを備える。
【００３５】
１対のランナー１０は、壁８の上端近傍、すなわち上層階の床スラブ４から離間した位置に配置される。１対のランナー１０は、断面コ字形状の軽量形鋼からなり、互いに平行かつ水平に、断面コ字形状の開放面が互いに対向するように配置される。野縁１２は、角スタッド等の軽量形鋼からなり、１対のランナー１０に直交するようにその間に架け渡されている。１対のランナー１０の両端部は、それぞれ、１対のランナー１０の断面コ字形状の開放面に突入することによって、１対のランナー１０に支持されている。複数の野縁１２が設置されており、その各々は、水平かつ互いに平行に、隣接する他の野縁１２との間隔が等しくなるように配置される。野縁１２の中間部は、床スラブ４に固定された吊ボルト（図示せず）等によって支持されていてもよい。
【００３６】
天井ボード１４は、石膏板等から形成され、複数の野縁１２の下面に固定される。天井ボード１４は、内装材であって、その下面にはクロスなどが貼られ、下層階の居室等の天井表面を形成する。
【００３７】
ＴＭＤ１６は、互いに隣接する１対の野縁１２間に架け渡されたばね部材１８と、ばね部材１８の中間部に取り付けられた錘部材２０とを備える。
【００３８】
ばね部材１８は、１枚の帯状の金属板を幅方向に沿って折り曲げて形成された板ばねからなる。ばね部材１８は、長手方向の中央部に弾性変形するばね本体２２が形成され、ばね本体２２の両端部からは、下向きに垂下する１対の脚片２４が形成されている。ばね本体２２は、上が凸になるように全体的に緩やかに湾曲している。１対の脚片２４は、ばね本体２２の両端部を下向きに折り返して、さらにその折り返し線よりも端側を下向きに折り曲げて形成される。ばね本体２２の両端部を折り返した部分によって、肩部２６が形成される。１対の脚片２４の下端部２８の各々は、外側に向かって直角に折り曲げられている。肩部２６の下面は、野縁１２の上面に当接し、脚片２４の下向きに垂下している主部３０の外側面は、野縁１２の対向側面に、すなわち、対をなす野縁１２に対向している側の側面に当接し、脚片２４の下端部２８は、上面において野縁１２の下面に当接するとともに下面において天井ボード１４の上面に当接している。負荷がかかっていない状態において、１対の脚片２４間の距離は、隣接する野縁１２間の距離よりもわずかに長い。そのため、１対の脚片２４の野縁１２への当接は、ばね本体２２および１対の脚片２４の弾性力により弾発的になされる。また、ばね部材１８は、野縁１２への肩部２６の当接、野縁１２への脚片２４の主部３０の弾発的な当接、並びに、野縁１２および天井ボード１４による脚片２４の下端部２８の挟持によって、１対の野縁１２に両持ち支持されるように固定される。さらにねじ等（図示せず）によって、脚片２４の主部３０と野縁１２の側面を固定してもよく、天井ボード１４、脚片２４の下端部２８および野縁１２の下面を固定してもよい。なお、肩部２６および脚片２４の下端部２８の一方または双方を省略してもよい。
【００３９】
錘部材２０は、金属等からなる直方体形状の錘であって、ばね部材１８のばね本体２２上の長手方向中央に取り付けられる。錘部材２０の形状は、他の部材に接触しない範囲で変更してもよい。
【００４０】
ばね部材１８のばね定数および錘部材２０の質量を調整することにより、ＴＭＤ１６の固有振動数は、目的とする重量床衝撃音が低減されるように設定される。
【００４１】
野縁１２の延在方向を縦方向、野縁１２の延在方向に直交する方向を横方向とすると、ＴＭＤ１６は、横方向に整列して、かつ複数の野縁１２によって画定される野縁間スペースに連続して配置されている。なお、ＴＭＤの配列は、これに限定されるものではないが、複数の野縁１２の各々には、ＴＭＤの一端側が、少なくとも１つ取り付けられていることが望ましい。
【００４２】
ＴＭＤ１６は、野縁１２をランナー１０に取り付けた後に、野縁１２に取り付けられる。ばね本体２２を湾曲させることにより、ばね部材１８の両端部を１対の野縁１２にあてがうことができる。また、野縁１２の両端部がランナー１０を摺動するように野縁１２を横方向にスライドさせて、野縁１２をばね部材１８の端部にはめ込んでもよい。その後、天井ボード１４を取り付けると、脚片２４の下端部２８は、野縁１２と天井ボード１４とに挟持される。
【００４３】
床スラブ４に衝撃が加わると床スラブ４が振動し、その振動が、壁８および空気を介して、さらに吊ボルト（図示せず）を設けている場合には吊ボルトをも介して伝わり、野縁１２および野縁１２に固定された天井ボード１４を励振させる。ＴＭＤ１６は、野縁１２および天井ボード１４の振動、とくに、ＴＭＤ１６の固有振動数に相当する周波数の振動を低減する。これにより、野縁１２および天井ボード１４の振動が低減し、天井ボード１４から放射される音が小さくなる。
【００４４】
ＴＭＤ１６は、野縁１２に取り付けられるため、天井ボード１４に負荷をかけない。そのため、ＴＭＤ１６の設置によって、天井ボード１４が落下するおそれを増大させることはない。また、ＴＭＤ１６の好ましい質量は、振動を抑える対象の質量、すなわち、野縁１２および天井ボード１４の質量の約５％以上であり、さらに好ましくは１５％以上であるが、金属製の板ばねからなるばね部材１８自体に比較的大きな質量があるとともに、ばね本体２２に大きな質量の錘部材２０を載せることができる。そのため、設置すべきＴＭＤの数を減らし、施工の手間を減らすことができる。また、金属製の板ばねからなるばね部材１８自体が、大きな質量を有し、それによってもたらされる天井構造の質量増加による遮音効果も期待できる。
【００４５】
次に、図４を参照して、第１実施形態の変形例を説明する。説明に当たって、上記実施形態と共通する構成は、その説明を省略し同一の符号を付す。変形例に係る天井構造３２において、ＴＭＤ１６の構造は上記実施形態と同一であるが、天井下地材３４の構造およびＴＭＤ１６の配置が、上記実施形態と異なる。
【００４６】
天井下地材３４は、床スラブ４（図２参照）に吊り下げられた複数の野縁受け３６と、野縁受け３６に対して直交するように取り付けられた野縁３８とを備える。
【００４７】
床スラブ４の下面には吊ボルト４０の上端側が固定されており、吊ボルト４０の下端側には接続金物４２が取り付けられ、接続金物４２が野縁受け３６を保持している。野縁受け３６は、断面コ字形状の軽量形鋼であって、水平かつ互いに平行に、隣接する野縁受け３６との間隔が等しくなるように配置される。野縁３８は、クリップ等の接続具（図示せず）によって、野縁受け３６の下側に取り付けられる。野縁３８は、断面コ字形状の軽量形鋼であって、水平かつ互いに平行に、隣接する野縁３８との間隔が等しくなるように配置される。なお、ねじ等によりばね部材１８の脚片２４の主部３０（図３参照）を野縁３８の側面に固定する場合は、野縁３８の部材には、断面コ字形状の軽量形鋼に代えて、角スタッドが用いられる。
【００４８】
野縁３８の延在方向を縦方向、野縁３８の延在方向に直交する方向を横方向とすると、ＴＭＤ１６は、横方向に整列して、各列において複数の野縁３８によって画定される野縁３８間スペースの１つおきに配置される。さらに、各列に配置されたＴＭＤ１６は、縦方向には互いにずれるように、互い違いに配置される。
【００４９】
このように、ＴＭＤ１６は、野縁受け３６および野縁３８によって形成された天井下地材３４に対しても使用できる。また、ＴＭＤ１６は、上記以外の配置、例えばランダムに配置することもできる。
【００５０】
次に、本発明の第２実施形態について説明する。説明に当たって、第１実施形態と共通する構成は、その説明を省略し同一の符号を付す。第２実施形態の天井構造４４では、ＴＭＤ４６のばね部材４８の形状が、第１実施形態と異なる。このＴＭＤ４６を第１実施形態の天井下地材６に取り付ける場合を例に説明するが、第１実施形態の変形例の天井下地材３４に取り付けることもでき、その配置も、上記形態のいずれのものやその他のものに適宜変更できる。
【００５１】
図５は、天井構造４４における１つのＴＭＤ４６の周囲を拡大して示した正面図である。ＴＭＤ４６は、互いに隣接する１対の野縁１２間に架け渡されたばね部材４８と、ばね部材４８の中間部に取り付けられた錘部材２０とを備える。
【００５２】
ばね部材４８は、１枚の平面視で長方形形状の金属板からなるばね本体５０と、ばね本体５０の両端部から下向きに垂下する１対の脚片５２とを備える。１対の脚片５２の各々は、１枚の金属板からなり、野縁１２の側面に平行にばね本体５０から下向きに垂下した主部５４と、主部５４に対して外側に向かって直角に折り曲げられた下端部５６とを有する。主部５４の上端は、ばね本体５０の端部近傍の下面に溶接等により固定されている。ばね本体５０における１対の脚片５２が取り付けられた位置より外側の両端部は、肩部５８を形成している。肩部５８の下面は、野縁１２の上面に当接し、脚片５２の主部５４の外側面は、野縁１２の対向側面に当接し、脚片５２の下端部５６は、野縁１２および天井ボード１４に挟持されるように、上面において野縁１２の下面に当接するとともに下面において天井ボード１４の上面に当接している。１対の脚片５２間の距離は、隣接する野縁１２間の距離に略等しい。なお、負荷のかかっていない状態における１対の脚片５２間の距離を、隣接する野縁１２間の距離よりもわずかに長くして、１対の脚片５２が、野縁１２の対向側面に弾発的に当接するようにしてもよい。肩部５８は、ばね部材４８を野縁１２に仮固定するために有用であるが、省略も可能である。脚片５２の下端部５６が野縁１２および天井ボード１４に挟持されるため、ばね部材４８は野縁１２に固定される。さらに、ねじ６０によって、脚片５２の主部５４を野縁１２の対向側面に固定してもよい。ねじ６０を、天井ボード１４、脚片５２の下端部５６および野縁１２の下面に対して締結してもよい。ねじ６０を、脚片５２の主部５４および野縁１２の対向側面に対して締結する場合は、脚片５２の下端部５６を省略してもよい。
【００５３】
ＴＭＤ４６を１対の野縁１２間に設置するときは、ばね部材４８を撓ませて１対の野縁１２間に挿入する。また、ばね部材４８を野縁１２に対して斜めになる水平な姿勢にした状態で、ＴＭＤ４６を１対の野縁１２間に挿入し、ＴＭＤ４６を回転させてばね部材４８の両端部を１対の野縁１２に係合させてもよい。脚片５２の下端部５６は省略した場合は、ばね部材４８を撓ませたり、斜めにする必要がなく、１対の野縁１２間に上方からまっすぐ挿入できる。
【００５４】
ＴＭＤ４６は、第１実施形態のＴＭＤ１６と同様に、重量床衝撃音を低減し、天井ボード１４を落下させるおそれを増大させず、施工性がよく、遮音効果も期待できる。
【００５５】
次に、図６を参照して、本発明の第３実施形態について説明する。説明に当たって、第１実施形態と共通する構成は、その説明を省略し同一の符号を付す。第３実施形態に係る天井構造６２は、ＴＭＤ６４の構造が、第１実施形態と異なる。このＴＭＤ６４を第１実施形態の主形態の天井下地材６に取り付ける場合を例に説明するが、第１実施形態の変形例の天井下地材３４に取り付けることもでき、その配置も適宜変更できる。
【００５６】
ＴＭＤ６４は、２本のワイヤー６６からなるばね部材６８と、錘部材２０とを備える。
【００５７】
ワイヤー６６は、野縁１２の延在方向に直交し、かつ野縁１２の上面に当接するように配置される。複数の野縁１２は並列に配置されているが、ワイヤー６６の両端は、それぞれ両端に配置された野縁１２に、ねじ（図示せず）等により固定され、ワイヤー６６は、張力が付与された状態で固定される。ワイヤー６６が野縁１２の上面で摺動して異音が発生することを防止するため、ワイヤー６６は、中間に配置された野縁１２の上面でもねじ（図示せず）等により固定されることが望ましい。２本のワイヤー６６は、互いに近接しかつ平行に配置される。図６では、２本のワイヤー６６によって構成されたばね部材６８が、２組示されているが、１組でもよく、３組以上設置してもよい。また、１組のばね部材６８は、平行に配置された３本以上のワイヤー６６によって構成されてもよく、１本でもよい。
【００５８】
錘部材２０は、隣接する１対の野縁１２によって画定されたそれぞれの空間に張設されたばね部材６８上に取り付けられる。なお、錘部材２０は、ばね部材６８に吊り下げられるように取り付けてもよい。
【００５９】
ワイヤー６６に負荷された張力、すなわち、ばね部材６８のばね定数と、錘部材２０の質量とを調整することにより、ＴＭＤ６４の固有振動数が設定される。
【００６０】
ＴＭＤ６４は、第１実施形態のＴＭＤ１６と同様に、重量床衝撃音を低減し、天井ボード１４を落下させるおそれを増大させない。また、野縁１２の延在方向を縦方向、野縁１２の延在方向に直交する方向を横方向とすると、横方向に同列に整列した複数のＴＭＤ６４が、ばね部材６８としての１組のワイヤー６６を共有するため、部材が少なく、施工の手間が軽減される。
【００６１】
以上で具体的実施形態の説明を終えるが、本発明は上記実施形態に限定されることなく幅広く変形実施することができる。例えば、ばね本体が錘部材を兼ね、ばね部材とは別体の部品としての錘がなくともよい。また、ばね部材を、金属以外の素材、例えば樹脂等でも形成してもよい。また、ＴＭＤを野縁に固定するために接続金具を用いてもよい。また、ばね部材の脚片は、１対の野縁の互いに対向する側面ではなく、相反する方向を向いた外側の側面に当接してもよい。第２実施形態のＴＭＤは、１対の野縁間にばね部材を配置したとき、ばね本体が撓み、脚片が弾発的に野縁に当接するようにしてもよい。
【符号の説明】
【００６２】
２，３２，４４，６２...天井構造、６，３４...天井下地材、１２，３８...野縁、１４...天井ボード、１６，４６，６４...ＴＭＤ、１８，４８，６８...ばね部材、２０...錘部材、２２，５０...ばね本体、２４，５２...脚片、２６，５８...肩部、２８，５６...下端部、６６...ワイヤー
【図１】
0006382738.tif 000002
【図２】
0006382738.tif 000003
【図３】
0006382738.tif 000004
【図４】
0006382738.tif 000005
【図５】
0006382738.tif 000006
【図６】
0006382738.tif 000007